(57)【要約】【課題】ヒュージブルリンクのハウジングより延出されるケーブルの配索作業の作業性を向上させることができるヒュージブルリンクを提供する。【解決手段】ハウジング６の外表面から立設して複数の端子支持部８を区画し、かつ、ヒューズ回路体５の端子部４とケーブル１０の接続部Ａから該接続部Ａとハウジング６の外縁６ａとの中間まで延びた区画壁１１を設けることにより、複数の端子支持部８の端子部４に接続された複数のケーブル１０をハウジング６の外部に延出して配索する場合に、区画壁１１に沿ってケーブル１０を配索するとともに、区画壁１１の延出側端面１１ｂでケーブル１０を折曲して、ハウジング６の内側で区画壁１１の延出側端面１１ｂと規制壁１４との間に形成された空間部Ｂ内をハウジング６の長手方向に沿って配索するようにした。【選択図】図１
2007109484.tif 000002
【特許請求の範囲】
【請求項１】
連結プレート部の一側に可溶体部を介して連結された端子部を連鎖状に有するヒューズ回路体と、
該ヒューズ回路体を収容したハウジングとを備え、
該ハウジングの外表面に、前記ヒューズ回路体の連鎖状の端子部をそれぞれ配置する端子支持部が複数設けられ、
該複数の端子支持部に配置された前記端子部と接続された複数のケーブルが前記ハウジングより外部に延出されるヒュージブルリンクにおいて、
前記複数の端子支持部を区画し、かつ、前記端子部と前記ケーブルの接続部から該接続部と前記ハウジングの外縁との中間まで延びた区画壁が設けられていることを特徴とするヒュージブルリンク。
【請求項２】
前記ハウジングの外縁に、前記区画壁と直交する方向に立設した規制壁が設けられていることを特徴とする請求項１記載のヒュージブルリンク。
【請求項３】
前記端子部と接続された電気接触部と、該電気接触部と連なり前記ケーブルと接続された電線接続部とを有する端子金具をさらに備え、前記電線接続部が、前記電気接触部から離れるにしたがって前記電気接触部に対して上向きに傾いて配置されたことを特徴とする請求項１又は２記載のヒュージブルリンク。
【発明の詳細な説明】
【技術分野】
【０００１】
本発明は、車載用電装回路等に使用されるヒュージブルリンクに関する。
【背景技術】
【０００２】
自動車の車体には、種々の電装品が搭載されており、バッテリー電源から電装品に供給される電気回路には、過電流から電気回路を保護するためのヒューズとして働くヒュージブルリンクが設けられている（例えば、特許文献１を参照）。
【０００３】
図６は従来のヒュージブルリンク１を示したもので、該ヒュージブルリンク１は、連結プレート部２の一側に可溶体部３を介して連結された端子部４を連鎖状に有するヒューズ回路体５と、該ヒューズ回路体５を収容したハウジング６とを備えている。
【０００４】
該ハウジング６は、絶縁性の合成樹脂により略直方体状に形成されており、ハウジング６の一端側には、前記ヒューズ回路体５が挿入される開口部７が形成されている。前記ハウジング６内には、前記開口部７を介して前記ヒューズ回路体５がその端子部４を挿入先端として挿入収容されており、該挿入された連鎖状の端子部４は、それぞれ、前記ハウジング６の他端側の外表面に形成された複数の端子支持部８内に配置されるようになっている。
【０００５】
前記ハウジング６の端子支持部８に配置されたヒューズ回路体５の端子部４には、それぞれ、端子金具９が接続されるようになっており、該端子金具９に接続されたケーブル１０が前記ハウジング６より外部に延出されて図示しない各種電装品に接続されることにより、バッテリー電源から電装品に供給される電気回路中に前記ヒュージブルリンク１が配設されるようになっている。
【０００６】
前記ヒュージブルリンク１は、前記ハウジング６の開口部７よりハウジング６の内部を視認可能に構成されており、ヒューズ回路体５の可溶体部３の溶断状態を確認できるようになっている。そして、前記可溶体部３が電気回路を流れる過電流により溶断した場合には、再び通電可能にするために前記ヒュージブルリンク１自体を交換するようになっている。
【０００７】
前記ヒュージブルリンク１は、車体に設けられたヒューズボックスや、各種電気回路ユニットを集約したジャンクションブロックの内部に配設されるようになっており、前記ヒュージブルリンクにより、多数の電装品を集中的に管理するようになっている。
【特許文献１】特開２００４−１２７６９６号公報
【発明の開示】
【発明が解決しようとする課題】
【０００８】
前記ヒュージブルリンク１は、前記したように各種電気回路ユニットが集約した場所に配設されているので、車載スペースの小型化にともない、ヒュージブルリンク１自体がコンパクトに構成されるとともに、ヒュージブルリンク１が配設される箇所においてヒュージブルリンク１の周囲の空間もコンパクトに構成されるようになっている。
【０００９】
しかし、前記ヒュージブルリンク１の周囲の空間がコンパクトに構成されるようになると、ヒュージブルリンク１の複数の端子支持部８の端子部４に接続された複数のケーブル１０をハウジング６の外部に延出して配索する場合に、ヒュージブルリンク１の周囲の狭い空間でケーブル１０の配索作業を行わなければならず、配索作業が困難になるという問題がある。
【００１０】
すなわち、図６に示すように、前記ヒュージブルリンク１のハウジング６には、前記複数の端子支持部８を区画し、かつ、前記端子部８から前記ハウジング６の外縁６ａまで延びる区画壁１１が形成されているので、前記端子支持部８の端子部４に接続された複数のケーブル１０をハウジング６の外部に延出してハウジング６に沿って配索する場合には、前記区画壁１１に沿ってケーブル１０を配索するとともに、前記区画壁１１の外側、すなわち前記ハウジング６の外縁６ａの外側でケーブル１０を折曲してハウジング６に沿って配索しなければならない。
【００１１】
そのために、前記ハウジング６の外縁６ａの外側でのハウジング６に沿ったケーブル１０の配索作業を前記ヒュージブルリンク１の周囲の狭い空間で行わなければならず、該配索作業が困難になるという問題がある。特に、図６に示すように、前記ヒューズ回路体５の連鎖状の端子部４が配置される端子支持部８が複数設けられている場合には、該複数の端子支持部８の端子部４に接続されてハウジング６の外部に延出される複数のケーブル１０を前記した狭い空間で配索しなければならず、その配索作業がより困難になるという問題がある。
【００１２】
したがって、本発明の目的は、ヒュージブルリンクのハウジングに設けられた壁に電線を当接又は沿わせて電線の配索を行うことにより延出されるケーブルの配索作業性を向上させることができるヒュージブルリンクを提供することにある。
【課題を解決するための手段】
【００１３】
上記目的を達成するために、請求項１に記載のヒュージブルリンクは、連結プレート部の一側に可溶体部を介して連結された端子部を連鎖状に有するヒューズ回路体と、該ヒューズ回路体を収容したハウジングとを備え、該ハウジングの外表面に、前記ヒューズ回路体の連鎖状の端子部をそれぞれ配置する端子支持部が複数設けられ、該複数の端子支持部に配置された前記端子部と接続された複数のケーブルが前記ハウジングより外部に延出されるヒュージブルリンクにおいて、前記複数の端子支持部を区画し、かつ、前記端子部と前記ケーブルの接続部から該接続部と前記ハウジングの外縁との中間まで延びた区画壁が設けられていることを特徴としている。
【００１４】
請求項２に記載のヒュージブルリンクは、請求項１記載のヒュージブルリンクにおいて前記ハウジングの外縁に、前記区画壁と直交する方向に立設した規制壁が設けられていることを特徴としている。
【００１５】
請求項３に記載のヒュージブルリンクは、請求項１又は２記載のヒュージブルリンクにおいて、前記端子部と接続された電気接触部と、該電気接触部と連なり前記ケーブルと接続された電線接続部とを有する端子金具をさらに備え、前記電線接続部が、前記電気接触部から離れるにしたがって前記電気接触部に対して上向きに傾いて配置されたことを特徴としている。
【発明の効果】
【００１６】
請求項１に記載のヒュージブルリンクは、連結プレート部の一側に可溶体部を介して連結された端子部を連鎖状に有するヒューズ回路体と、該ヒューズ回路体を収容したハウジングとを備え、該ハウジングの外表面に、前記ヒューズ回路体の連鎖状の端子部をそれぞれ配置する端子支持部が複数設けられ、該複数の端子支持部に配置された前記端子部と接続された複数のケーブルが前記ハウジングより外部に延出されるヒュージブルリンクにおいて、前記複数の端子支持部を区画し、かつ、前記端子部と前記ケーブルの接続部から該接続部と前記ハウジングの外縁との中間まで延びた区画壁が設けられているので、前記複数の端子支持部の端子部に接続された複数のケーブルをハウジングの外部に延出して配索する場合に、前記区画壁に沿ってケーブルを配索するとともに、前記区画壁の延出側端面でケーブルを折曲して、ハウジングの内側で区画壁の延出側端面と規制壁との間に形成された空間部内をハウジングの長手方向に沿って配索することができ、そのために、ハウジングの外側でのケーブルの配索作業がなくなり、前記ヒュージブルリンクの周囲の狭い空間でのケーブルの配索作業がなくなり、よって、前記ヒュージブルリンクのハウジングより延出されるケーブルの配索作業を容易に行うことができ、ケーブルの配索作業の作業性を向上させることができる。
【００１７】
請求項２に記載のヒュージブルリンクは、前記ハウジングの外縁に、前記区画壁と直交する方向に立設した規制壁が設けられているので、該規制壁よりハウジングの外側にケーブルが延出されて配索されることを防ぐことができ、前記ケーブルを前記ハウジングの内側で区画壁の延出側端面と規制壁との間に形成された空間部内をハウジングの長手方向に沿って確実に配索することができ、ケーブルの配索作業の作業性をより向上させることができる。
【００１８】
請求項３に記載のヒュージブルリンクは、前記端子部と接続された電気接触部と、該電気接触部と連なり前記ケーブルと接続された電線接続部とを有する端子金具をさらに備え、前記電線接続部が、前記電気接触部から離れるにしたがって前記電気接触部に対して上向きに傾いて配置されたので、前記ケーブルを配索する場合に、前記上向きに傾いた端子金具の電線接続部の近傍のケーブル部分を指先で保持しながら作業することができ、そのために、ケーブルの配索作業と該ケーブルに接続された端子金具のハウジングへの固定作業を容易に行うことができ、よって、ケーブルの配索作業の作業性をより向上させることができる。
【発明を実施するための最良の形態】
【００１９】
本発明の実施形態に係るヒュージブルリンク１を、図１乃至図４に基いて説明する。本発明のヒュージブルリンク１は、連結プレート部２の一側に可溶体部３を介して連結された端子部４を連鎖状に有するヒューズ回路体５と、該ヒューズ回路体５を収容したハウジング６とを備えている。
【００２０】
前記ヒューズ回路体５は、図２及び図３に示すように、共通端子部としての断面Ｕ字状の連結プレート部２の一側に、連結プレート部２の長手方向に亘って可溶体部３を介して端子部４が複数連鎖状に連結されている。前記可溶体部３は、細幅でクランク状に形成されており、クランク形状の中途部には、低融点金属３ａが加締められて固定されている。
【００２１】
前記ヒューズ回路体５は、図示しない導電性の平板状のプレート材をプレス加工することにより一体に形成されており、前記連結プレート部２、可溶体部３及び端子部４が１枚のプレート材から一体に形成されるようになっている。
【００２２】
前記ハウジング６は、図１及び図３に示すように、絶縁性の合成樹脂により略直方体状に形成されており、ハウジング６の一端側には、ハウジング６の長手方向に亘って前記ヒューズ回路体５が挿入される開口部７が形成されている。
【００２３】
前記ハウジング６内には、ハウジング６の短手方向に向けて、前記開口部７を介して前記ヒューズ回路体５がその端子部４を挿入先端として挿入収容されるようになっており、該挿入収容された連鎖状の端子部４は、それぞれ、前記ハウジング６の他端側の外表面に形成された複数の端子支持部８内に配置されるようになっている。
【００２４】
前記端子支持部８は、前記ヒューズ回路体５の端子部４の数に対応して前記ハウジング６の外表面に複数並んで形成されている。前記複数の端子支持部８のうち隣接する端子支持部８の間には、前記ハウジング６の外表面から立設して、ハウジング６の短手方向に延びる区画壁１１が形成されており、該区画壁１１により隣接する端子支持部８が区画されるようになっている。また、前記複数の端子支持部８のうち並列方向の両端側に位置する端子支持部８ａの側方にも、ハウジング６の外表面から立設して、ハウジング６の短手方向に延びる区画壁１１ａが形成されており、該区画壁１１ａにより両端側に位置する端子支持部８ａが外部から区画されるようになっている。前記区画壁１１は、前記複数の端子支持部８にそれぞれ配置された前記端子部４が隣接する端子部４と電気的に接触しないように構成されている。
【００２５】
前記複数の端子支持部８に配置された端子部４には、それぞれ、丸形の端子金具９が接続されている。該端子金具９は、導電性の板金からなり、前記端子部４と接続された電気接触部９ａと、該電気接触部９ａと連なりケーブル１０が加締められて接続された電線接続部９ｂとから構成されている。前記端子金具９は、前記電気接触部９ａ及び前記端子部４を挿通する固定ボルト１２により前記ハウジング６に固定されるようになっており、これにより、前記ヒューズ回路体５の端子部４と前記ケーブル１０が接続されるようになっている。
【００２６】
前記ヒューズ回路体５に接続された複数のケーブル１０は、前記ハウジング６より外部に延出されて図示しない各種電装品に接続されるようになっており、これにより、バッテリー電源から電装品に供給される電気回路中に前記ヒュージブルリンク１が配設されるようになっている。
【００２７】
このようなヒュージブルリンク１においては、バッテリー電源から電装品に供給される電気回路中に過電流が流れると、前記ヒュージブルリンク１の可溶体部３が発熱によって溶断して、過電流から電気回路を保護するようになっている。前記可溶体部３の状態は、前記ハウジング６の開口部７に装着された透明カバー１３を介して外部から視認可能に構成されており、前記可溶体部３が過電流により溶断した場合には、再び通電可能にするために前記ヒュージブルリンク１自体を交換するようになっている。
【００２８】
前記ヒュージブルリンク１は、図１及び図３に示すように、ハウジング６の短手方向が水平方向を向くように車体に搭載されるいわゆる横置き型ヒュージブルリンクとして構成されている。このため、前記ハウジング６内に収容されたヒューズ回路体５は、ハウジング６の短手方向に沿って水平方向を向くように収容されている。
【００２９】
前記ヒュージブルリンク１においては、前記したように、前記ハウジング６には、該ハウジング６の外表面から立設してハウジング６の短手方向に延び、前記複数の端子支持部８を区画する区画壁１１が形成されている。該区画壁１１は、図１及び図３に示すように、前記ヒューズ回路体５の端子部４と前記ケーブル１０の接続部Ａ、すなわち前記端子部４と前記端子金具９の電気接触部９ａの接続部Ａから、該接続部Ａと前記ハウジング６の外縁６ａとの中間まで延びて形成されている。そして、前記区画壁１１の延出側端面１１ｂから前記ハウジング６の外縁６ａまでの間には、区画壁は形成されておらず、当該部位は空間部Ｂとなっている。
【００３０】
前記区画壁１１は、図３に示すように、少なくとも、前記端子部４と前記端子金具９の電気接触部９ａの接続位置ａ1から、前記端子金具９の電線接続部９ｂの位置ａ2まで延出形成されている必要がある。すなわち、前記区画壁１１は、前記複数の端子支持部８に配置された端子部４に接続された端子金具９の電線接続部９ｂが隣接する端子金具９の電線接続部９ｂと電気的に接触しないように構成されるだけの長さが必要である。
【００３１】
また、前記ハウジング６の外縁６ａには、前記区画壁１１と直交する方向に立設されて、ハウジング６の外縁６ａに沿ってハウジング６の長手方向に延びる規制壁１４が形成されている。該規制壁１４は、前記区画壁１１の高さと同じ高さを有している。
【００３２】
前記ヒュージブルリンク１においては、前記ハウジング６の外表面に形成された区画壁１１と規制壁１４により、前記端子支持部８が形成されたハウジング６の外表面には、前記区画壁１１の延出側端面１１ｂと前記規制壁１４の間に、ハウジング６の長手方向に延びる空間部Ｂが形成されている。
【００３３】
前記ヒュージブルリンク１においては、図４に示すように、前記ハウジング６の複数の端子支持部８に配置された端子部４に端子金具９を介して接続された複数のケーブル１０が、ハウジング６の外部に延出されてヒュージブルリンク１を収納した収納ボックス１５の開口１６から図示しない各種電装品へ導き出されるようになっているが、その際に、前記ケーブル１０が、前記ハウジング６の外表面であって前記区画壁１１の延出側端面１１ｂと前記規制壁１４の間に形成された空間部Ｂ内を配索されてハウジング６の外部に延出され、前記収納ボックス１５の開口１６へと導かれるようになっている。
【００３４】
本実施形態によれば、前記ハウジング６の外表面から立設して前記複数の端子支持部８を区画し、かつ、前記ヒューズ回路体５の端子部４と前記ケーブル１０の接続部Ａから該接続部Ａと前記ハウジング６の外縁６ａとの中間まで延びた区画壁１１が設けられているので、前記複数の端子支持部８の端子部４に接続された複数のケーブル１０をハウジング６の外部に延出して配索する場合に、図１及び図４に示すように、前記区画壁１１に沿ってケーブル１０を配索するとともに、前記区画壁１１の延出側端面１１ｂでケーブル１０を折曲して、ハウジング６の内側で区画壁１１の延出側端面１１ｂと規制壁１４との間に形成された空間部Ｂ内をハウジング６の長手方向に沿って配索することができる。
【００３５】
そのために、図４の２点鎖線で示すようなハウジング６の外側でのケーブル１０’の配索作業がなくなり、前記ヒュージブルリンク１と該ヒュージブルリンク１を収納した収納ボックス１５との間に形成されたヒュージブルリンク１の周囲の狭い空間Ｃでのケーブルの配索作業がなくなり、よって、ヒュージブルリンク１のハウジング６より延出されるケーブル１０の配索作業を容易に行うことができ、ケーブル１０の配索作業の作業性を向上させることができる。
【００３６】
本実施形態によれば、前記ハウジング６の外縁６ａに、前記区画壁１１と直交する方向に立設した規制壁１４が設けられているので、該規制壁１４よりハウジング６の外側にケーブル１０が延出されて配索されることを防ぐことができ、前記ケーブル１０を前記ハウジング６の内側で区画壁１１の延出側端面１１ｂと規制壁１４との間に形成された空間部Ｂ内をハウジング６の長手方向に沿って確実に配索することができ、ケーブル１０の配索作業の作業性をより向上させることができる。
【００３７】
図５は本発明の他の実施形態を示したもので、前記実施形態と同一箇所には同一符号を付して説明を省略する。本実施形態の場合、前記ハウジング６の端子支持部８に配置された端子部４と接続される端子金具９のケーブル１０との電線接続部９ｂが、端子金具９の前記端子部４との電気接触部９ａから離れるにしたがって前記電気接触部９ａに対して上向きに傾いて配置されている。
【００３８】
このように、端子金具９のケーブル１０との電線接続部９ｂが電気接触部９ａに対して上向きに傾いて配置されていると、前記したように、前記ハウジング６の内側で区画壁１１の延出側端面１１ｂと規制壁１４との間に形成された空間部Ｂ内をハウジング６の長手方向に沿ってケーブル１０を配索する場合に、前記上向きに傾いた端子金具９の電線接続部９ｂの近傍のケーブル部分１０ａを指先で保持しながら作業することができるようになり、ケーブル１０の配索作業と該ケーブル１０に接続された端子金具９のハウジング６への固定作業を容易に行うことができる。
【００３９】
また、前記端子金具９をハウジング６に固定する際の固定ボルト１２の締め付けトルクを調整することにより、前記端子金具９の電線接続部９ｂの傾き状態を微調整することができる。すなわち、前記締め付けトルクが大きければ、端子金具９の電線接続部９ｂの電気接触部９ａに対する傾き角度θは小さくなり、前記締め付けトルクが小さければ、前記傾き角度θは大きくなる。
【００４０】
このため、前記端子金具９に接続された様々な径寸法の複数のケーブル１０を前記ハウジング６の内側で区画壁１１の延出側端面１１ｂと規制壁１４との間に形成された空間部Ｂ内に配索する場合に、前記締め付けトルクを微調整して前記端子金具９の電線接続部９ｂの傾き角度θを微調整するにより、前記端子金具９に接続されて前記空間部Ｂ内を延在する複数のケーブル１０の配設位置を微調整することができ、そのために、ケーブル１０の配索作業をより容易に行うことができる。
【００４１】
本実施形態によれば、ハウジング６の端子支持部８に配置された端子部４と接続された電気接触部９ａと、該電気接触部９ａと連なりケーブル１０と接続された電線接続部９ｂとを有する端子金具９をさらに備え、前記電線接続部９ｂが、前記電気接触部９ａから離れるにしたがって前記電気接触部９ａに対して上向きに傾いて配置されたので、前記ケーブル１０を配索する場合に、前記上向きに傾いた端子金具９の電線接続部９ｂの近傍のケーブル部分１０ａを指先で保持しながら作業することができ、そのために、ケーブル１０の配索作業と該ケーブル１０に接続された端子金具９のハウジング６への固定作業を容易に行うことができ、よって、ケーブル１０の配索作業の作業性をより向上させることができる。
【００４２】
なお、前記した実施形態は本発明の代表的な形態を示したに過ぎず、本発明は前記実施形態に限定されるものではなく、本発明の骨子を逸脱しない範囲で種々変更することができる。
【００４３】
すなわち、前記した実施形態では、ハウジング６の外部に延出して配索されるケーブル１０を、ハウジング６の内側で区画壁１１と規制壁１４で形成される空間部Ｂ内をハウジング６の長手方向に沿って配索する場合について説明したが、前記ハウジング６の外縁６ａに沿って形成された規制壁１４を設けなくても良い。該規制壁１４を設けなくても、前記区画壁１１の長さが端子部４とケーブル１０の接続部Ａから該接続部Ａとハウジング６の外縁６ａとの中間まで延びるように構成されていれば、ハウジング６の内側にケーブル１０を配索する空間部Ｂを形成することができ、ハウジング６の外側でケーブル１０を配索する必要がなくなり、ケーブル１０の配索作業の作業性を向上させることができる。
【００４４】
また、前記した実施形態では、前記ヒュージブルリンク１のハウジング６の短手方向が水平方向を向くように車体に搭載されるいわゆる横置き型ヒュージブルリンクを例に説明したが、ヒュージブルリンク１のハウジング６の短手方向が鉛直方向を向くように車体に搭載される縦置き型ヒュージブルリンクでも良い。該縦置き型ヒュージブルリンクでも、ハウジング６の内側にケーブル１０を配索する空間部Ｂを形成することができれば、ハウジング６の外側でケーブル１０を配索する必要がなくなり、ケーブル１０の配索作業の作業性を向上させることができる。
【図面の簡単な説明】
【００４５】
【図１】本発明の実施形態に係るヒュージブルリンクを示す斜視図である。
【図２】前記実施形態に係るヒュージブルリンクのヒューズ回路体を示す斜視図である。
【図３】前記実施形態に係るヒュージブルリンクの側断面図である。
【図４】前記実施形態に係るヒュージブルリンクの収納ボックス内の配置状態を示す平面図である。
【図５】本発明の他の実施形態に係るヒュージブルリンクの端子部と該端子部に接続された端子金具部分を拡大した側断面図である。
【図６】従来のヒュージブルリンクを示す斜視図である。
【符号の説明】
【００４６】
１  ヒュージブルリンク
２  連結プレート部
３  可溶体部
４  端子部
５  ヒューズ回路体
６  ハウジング
６ａ  ハウジングの外縁
７  開口部
８  端子支持部
９  端子金具
９ａ  電気接触部
９ｂ  電線接続部
１０  ケーブル
１１  区画壁
１１ｂ  区画壁の延出側端面
１２  固定ボルト
１４  規制壁
１５  収納ボックス
１６  開口
Ａ  端子部とケーブルの接続部
Ｂ  空間部
Ｃ  ヒュージブルリンクの周囲の狭い空間
θ  端子金具の電線接続部の傾き角度
【図１】
2007109484.tif 000003
【図２】
2007109484.tif 000004
【図３】
2007109484.tif 000005
【図４】
2007109484.tif 000006
【図５】
2007109484.tif 000007
【図６】
2007109484.tif 000008